(57)【要約】【課題】地表面での蒸散効果は従来の貯水型舗装構造と同様でありながら、多雨時であっても、貯水層から地表面に向けて雨水が溢れ出ることがないようにした、より改良された貯水型舗装構造を提供する。【解決手段】貯水型舗装構造Ａは、地中に埋設された樹脂製の貯水用基盤材１０と、貯水用基盤材１０に貯水された水を吸い上げる保水吸水材２６と、保水吸水材２６の上に配置された舗装ブロック材３３とを少なくとも備える。貯水用基盤材１０は底面１１と周側壁１２を有する形状であり、貯水用基盤材１０の底面１１と舗装ブロック３３材との間には荷重支持部材２０が位置しており、かつ貯水型舗装構造Ａの外周部は透水性シート３６によって覆われている。雨水は、貯水用基盤材１０の貯水空間に貯留され、溢れ出る雨水は、地表面に行くことなく、その周側壁１２を越流して地盤中に流出する。【選択図】図１
2013204277.tif 000002
【特許請求の範囲】
【請求項１】
地中に埋設された樹脂製の貯水用基盤材と、該貯水用基盤材に貯水された水を吸い上げる保水吸水材と、該保水吸水材の上に配置された舗装ブロック材とを少なくとも備えた貯水型舗装構造であって、
前記貯水用基盤材は底面と周側壁を有する形状であり、貯水用基盤材の前記底面と舗装ブロック材との間には荷重支持部材が位置していることを特徴とする貯水型舗装構造。
【請求項２】
前記貯水用基盤材と前記荷重支持部材は別部材で構成されており、かつ前記荷重支持部材の高さは前記貯水用基盤材の周側壁の高さと等しいかそれよりも高いことを特徴とする請求項１に記載の貯水型舗装構造。
【請求項３】
前記保水吸水材は前記貯水用基盤材の前記荷重支持部材が位置しない底面に配置されていることを特徴とする請求項２に記載の貯水型舗装構造。
【請求項４】
前記荷重支持部材は空洞部を有しており、該空洞部内に前記保水吸水材が配置されていることを特徴とする請求項２に記載の貯水型舗装構造。
【請求項５】
前記貯水用基盤材と前記荷重支持部材は一体物として形成されておりかつ前記荷重支持部材の高さは前記貯水用基盤材の周側壁の高さと等しいかそれよりも高いことを特徴とする請求項１に記載の貯水型舗装構造。
【請求項６】
前記保水吸水材は前記貯水用基盤材の前記荷重支持部材が存在しない底面に配置されていることを特徴とする請求項５に記載の貯水型舗装構造。
【請求項７】
前記舗装ブロック材の裏面には前記保水吸水材で吸い上げられた水を面方向に拡散できる導水シートが配置されていることを特徴とする請求項１〜６のいずれか一項に記載の貯水型舗装構造。
【請求項８】
前記舗装ブロック材の裏面には多数の孔を備えた断熱層が配置されていることを特徴とする請求項１〜７のいずれか一項に記載の貯水型舗装構造。
【請求項９】
前記貯水用基盤材の周側面および底面の裏面の双方またはいずれか一方には排水溝が形成されていることを特徴とする請求項１〜８のいずれか一項に記載の貯水型舗装構造。
【請求項１０】
他の貯水源から前記貯水用基盤材へ導水する導水部をさらに備えることを特徴とする請求項１〜９のいずれか一項に記載の貯水型舗装構造。
【発明の詳細な説明】
【技術分野】
【０００１】
本発明は、夏季の晴天時などに、貯水した水を地表面から蒸散させることで地表面の温度上昇を抑制できるようにした貯水型舗装構造に関する。
【背景技術】
【０００２】
夏季にヒートアイランド現象が発生するのを回避するために、地中に貯水層を形成しておき、そこに貯留された水を保水吸水材によって吸い上げ、吸い上げた水を保水吸水材の上に配置した舗装ブロック材の表面から蒸散させるようにした貯水型舗装構造が提案されている。この形態の貯水型舗装構造では、蒸散時の気化熱によって舗装面の熱が奪われることで、地表面の温度を下げることができる。そのような貯水型舗装構造の一例が特許文献１に記載されている。
【０００３】
特許文献１に記載の貯水型舗装構造は、路床の上に遮水シートを敷き詰め、その上に、多数の透水孔を有する透水性天井板を有し、上載荷重を支持しつつ内部に貯水空間を形成することのできる樹脂製貯水部材を平面的に並べることで、貯水層を形成している。貯水層上には、貯水層からの水分を面内方向に浸透・拡散させるための導水シートが敷設され、導水シート上には上部サンドクッション層を介して舗装ブロックが敷き並べられる。そして、貯水型舗装構造全体は見切り材によって周囲の地盤からは区画されている。
【先行技術文献】
【特許文献】
【０００４】
【特許文献１】特開２００８−８８７１４号公報
【発明の開示】
【発明が解決しようとする課題】
【０００５】
特許文献１に記載の貯水型舗装構造では、路床の上に所定厚みの貯水層が形成されており、渇水状態が続くときには、貯水層に貯留された水を舗装ブロックの表面から蒸散させることができ、地表面の温度上昇を抑制してヒートアイランド問題を効果的に解決できるものと期待される。しかし、貯水層は底面が遮水シートにより形成され、かつ全体は見切り材によって区画されているので、設計値以上の降雨があったときの排水性能に問題があり、降雨時に貯水層内が満水状態となって舗装面に水が溢れ出て水溜まりを形成する恐れがある。
【０００６】
本発明は、そのような事情に鑑みてなされたものであり、地表面での蒸散効果は従来の貯水型舗装構造と同様でありながら、多雨時であっても、貯水層から地表面に向けて雨水が溢れ出ることがないようにした、より改良された貯水型舗装構造を提供することを課題とする。
【課題を解決するための手段】
【０００７】
本発明による貯水型舗装構造は、地中に埋設された樹脂製の貯水用基盤材と、該貯水用基盤材に貯水された水を吸い上げる保水吸水材と、該保水吸水材の上に配置された舗装ブロック材とを少なくとも備えた貯水型舗装構造であって、前記貯水用基盤材は底面と周側壁を有する形状であり、貯水用基盤材の前記底面と舗装ブロック材との間には荷重支持部材が位置していることを特徴とする。
【０００８】
本発明による貯水型舗装構造では、雨水は、舗装面から地中に埋設された樹脂製の貯水用基盤材内に流入する。樹脂製の貯水用基盤材は底面と周側壁を有する形状であり、雨水は、貯水用基盤材の底面と周側壁で区画された貯水領域内に、その周側壁の高さに応じて貯水される。晴天時は、貯水領域内に貯水された雨水が、保水吸水材によって吸い上げられ、保水吸水材の上に配置された舗装ブロック材で構成される舗装面から蒸散する。降雨時に、該貯水領域から溢れ出る量の雨水が貯水領域内に入り込んだときには、その周側壁を乗り越えて、周囲の地盤に流入していくので、多雨時に雨水が舗装面に溢れ出て水溜まりを形成することはない。
【０００９】
舗装面からの上載荷重は、貯水用基盤材の底面と舗装ブロック材との間に配置された荷重支持部材によって支持されるので、貯水型舗装構造が潰されるようなことはなく、前記貯水領域の貯水量も確保される。
【００１０】
本発明による貯水型舗装構造の一形態では、前記貯水用基盤材と前記荷重支持部材は別部材で構成されており、かつ前記荷重支持部材の高さは前記貯水用基盤材の周側壁の高さと等しいかそれよりも高いことを特徴とする。この形態の貯水型舗装構造の１つの態様では、前記保水吸水材は前記貯水用基盤材の前記荷重支持部材が位置しない底面上に配置されている。また、他の態様では、前記荷重支持部材は空洞部を有しており、該空洞部内に前記保水吸水材が配置されていることを特徴とする。この態様では、保水吸水材の配置状態を安定化できるとともに、荷重支持部材と荷重支持部材との間の空間を雨水の落下空間として効果的に利用することができる。
【００１１】
本発明による貯水型舗装構造の一形態では、前記貯水用基盤材と前記荷重支持部材は一体物として形成されており、かつ前記荷重支持部材の高さは前記貯水用基盤材の周側壁の高さと等しいかそれよりも高いことを特徴とする。この形態では、荷重支持部材を別部材で構成する形態と比較して、部品点数を少なくすることができる。この形態の貯水型舗装構造の好ましい態様では、前記保水吸水材は前記貯水用基盤材の前記荷重支持部材が存在しない底面に配置されていることを特徴とする。
【００１２】
本発明による貯水型舗装構造の一形態では、前記舗装ブロック材の裏面には前記保水吸水材で吸い上げられた水を面方向に拡散できる導水シートが配置されていることを特徴とする。この形態では、舗装面からの水の蒸散面積を広くすることができ、かつ均一化できる利点がある。
【００１３】
本発明による貯水型舗装構造の一形態では、前記舗装ブロック材の裏面には多数の孔を備えた断熱層が配置されていることを特徴とする。この態様では、前記断熱層が存在することで、舗装面からの熱が貯留された水に伝わるのを遮断することができ、貯留水の温度を低温に維持できるので、保水吸水材によって吸い上げられる水が舗装面から蒸散するときに奪われる熱量を大きくすることができる利点がある。断熱層は多数の孔を備えることで、雨水の貯水用基盤材への落下および保水吸水材による吸い上げが妨げられることはない。
【００１４】
本発明による貯水型舗装構造の一形態では、前記貯水用基盤材の周側面および底面の裏面の双方またはいずれか一方には排水溝が形成されていることを特徴とする。この形態では、貯水領域から溢れ出る雨水が周囲の地盤に流入していくのをより確実にすることができる。
【００１５】
本発明による貯水型舗装構造の一形態では、他の貯水源から前記貯水用基盤材へ導水する導水部をさらに備えることを特徴とする。この態様では、夏季に降雨量が少ない場合でも、外部の貯水源からから貯水型舗装構造内に導入した水を舗装面から蒸散させることができる利点がある。
【発明の効果】
【００１６】
本発明によれば、地表面での蒸散効果は従来の貯水型舗装構造と同様でありながら、多雨時であっても、貯水層から地表面に向けて雨水が溢れ出ることがないようにした、より改良された貯水型舗装構造が得られる。
【図面の簡単な説明】
【００１７】
【図１】本発明による貯水型舗装構造の一例を路線方向に直交する方向で示す断面図。
【図２】貯水型舗装構造を構成する各構成部材を分解して示す斜視図。
【図３】貯水型舗装構造で用いる貯水用基盤材の他の示す斜視図。
【図４】貯水型舗装構造で用いる断熱層を示す平面図（図４（ａ））と図４（ａ）のｂ−ｂ線に沿う断面図。
【図５】図４に示す断熱層を用いる場合での本発明による貯水型舗装構造の一例を示す図１に相当する図。
【図６】貯水型舗装構造で用いる貯水用基盤材のさらに他の例を示す斜視図。
【図７】貯水型舗装構造で用いる貯水用基盤材のさらに他の例を示す斜視図。
【発明を実施するための形態】
【００１８】
以下、図面を参照して本発明を実施の形態に基づき説明する。
【００１９】
図１は本発明による貯水型舗装構造Ａの一例を路線方向に直交する方向で示す断面図であり、図２は貯水型舗装構造Ａを構成する各構成部材を分解して示す斜視図である。以下に、貯水型舗装構造Ａについて、その施工手順と共に説明する。
【００２０】
施工に当たって、例えば歩道である路面を所定深さに掘削する。砕石等で掘削した路盤面１を平坦化すると共に、施工しようとする貯水型舗装構造Ａのほぼ横幅の間隔で、路線方向に沿って縁石２、２を配置する（図１では、一方の縁石のみを示している）。縁石２の配置作業と平行して、平坦化した路盤１の上に、所要枚数の貯水用基盤材１０を敷き詰める。
【００２１】
貯水用基盤材１０は樹脂による一体成形品であり、図２に示すように、矩形状をなしている。貯水用基盤材１０は、平面状の底面１１とその４周から立設する周側壁１２とを有する。図示のものにおいて、周側壁１２の上面の適所には第１の排水溝１３が適数形成されており、底面１１の裏面にも十文字状に第２の排水溝１４が形成されている。周側壁１２は、雨水を貯水用基盤材１０内に貯留するのに必要とされるものであり、その高さは、予定する貯水量に応じて、適宜設定する。なお、図２に示す例では、周側壁１２の上面の適所には第１の排水溝１３が形成されており、貯水量は該第１の排水溝１３の底面位置に規制される。
【００２２】
敷き詰めた前記貯水用基盤材１０の上に、荷重支持部材２０を配置する。荷重支持部材２０は樹脂による一体成形品であり、矩形状であって、その平面視での大きさは前記貯水用基盤材１０とほぼ同じである。図２に示す例において、荷重支持部材２０は、底面２１と底面２１の４周から立設する周側壁２２とを有し、底面２１には下方に向けて延出する適数（図示のものでは１２個）の支持脚２３が面方向に所定の間隔を保って一体成形されている。図１に示すように、各支持脚２３は同じ高さであり、その高さは貯水用基盤材１０に形成した前記周側壁１２の高さよりも高い。また、各支持脚２３の内部は空洞となっており、脚底部には多数の切り欠き２４が形成されている。さらに、底面２１における前記支持脚２３以外の部分には、適数の貫通穴２５が形成されている。
【００２３】
敷き詰めた貯水用基盤材１０の上に配置した荷重支持部材２０の前記支持脚２３に形成された空洞内に、毛細管現象で雨水を吸い上げることのできる保水吸水材２６を充填する。保水吸水材２６には、支持脚２３内に保水吸水材２６を充填した後、該保水吸水材２６の上面に接するようにして、板状の保水吸水材２７を配置する。保水吸水材２６、２７には、発泡ウレタン、ロックウール、不織布、多孔質砂、吸水性ポリマー、フェノール樹脂などを用いることができる。両者は同じ材料であることが雨水の吸い上げ効果の観点から好ましいが、異なっていてもよい。
【００２４】
前記板状の保水吸水材２７の上に不織布のような材料からなる導水シート３０を敷き詰める。この導水シート３０は、板状の保水吸水材２７で吸い上げられた雨水を面方向にさらに拡散するためのものである。導水シート３０を敷き詰めた後、その上に敷砂３１を所要厚みに敷き詰める。導水シート３０があることにより、敷砂３１が板状の保水吸水材２７内に入り込んで、吸水性能を低下させるのを回避することができる。
【００２５】
敷砂３１の上に、舗装ブロック材３３を配置することで、図１に示す貯水型舗装構造Ａとされる。舗装ブロック材３３は、従来から歩道の舗装に用いられているコンクリートブロック、レンガブロック、インターロッキングブロックなどであってよい。好ましくは、雨水が流下できる多孔コンクリート製である。舗装ブロック材３３がそれ自体で雨水透過性を持つ場合には必ずしも必須ではないが、雨水透過性を持たない舗装ブロック材３３を用いる場合には、隙間３４をもった状態で隣接する舗装ブロック材３３を敷き詰める。
【００２６】
なお、上記の説明では、荷重支持部材２０の支持脚２３の高さは、貯水用基盤材１０に形成した周側壁１２の高さよりも高いものとした。そのために、さらに、貯水用基盤材１０の上に荷重支持部材２０を配置したときに、貯水用基盤材１０の周側壁１２の上面と荷重支持部材２０の周側壁２２の下面との間に、図１に示すよう、隙間３５が形成される。この隙間３５から周囲の土砂が入り込まないように、周囲全体を不織布のような透水性はあるが土砂等は通過することのできない透水性シート３６で囲むことは好ましい。図示しないが、荷重支持部材２０の支持脚２３の高さと貯水用基盤材１０に形成した周側壁１２の高さをほぼ等しくしてもよく、その場合は前記隙間を極狭いものとすることができるので、透水性シート３６で囲むのを省略することもできる。
【００２７】
なお、前記透水性シート３６は、前記した導水シート３０の連続した一部として構成することもできる。さらに、前記した敷砂３１を用いる場合には、敷砂３１が飛散するのを防止するためにやはり適宜のシートで周囲を覆うことが望ましい。このシートとしては、導水シート３０あるいは透水性シート３６と同じ材料のものを用いることができる。
【００２８】
貯水型舗装構造Ａは、次のように作用する。降雨による雨水は、舗装ブロック材３３あるいはそれらの間の隙間３４を通り、敷砂３１、導水シート３０を通って、板状の保水吸水材２７に達する。板状の保水吸水材２７内に保水された雨水は、より通過抵抗の少ない箇所である、荷重支持部材２０の底面２１に形成された貫通穴２５を通って落下し、支持脚２３と支持脚２３との間の空間を通って、貯水用基盤材１０の周側壁２２で囲まれた貯水領域内に貯水される。
【００２９】
夏期等の晴天時においては、貯水された雨水は、支持脚２３内に充填した保水吸水材２６によって吸い上げられ、吸い上げられた雨水は、板状の保水吸水材２７、導水シート３０、敷砂３１を通って、舗装ブロック材３３の下面に達する。そして、貯水用基盤材１０内に貯留されていた雨水は、舗装ブロック材３３の表面あるいはそれらの間の隙間３４から、大気に蒸散していく。その蒸散により、貯水型舗装構造の表面の温度上昇は抑制され、ヒートアイランド問題を効果的に解決することができる。
【００３０】
降雨時に、前記貯水領域から溢れ出る量の雨水が貯水用基盤材１０の周側壁１２で囲まれた貯水領域内に入り込むことが起こり得る。その場合には、周側壁１２を乗り越えて、あるいは周側壁１２の上面に形成した第１の排水溝１３を乗り越えて、周囲の地盤に流入していくことができる。そのために、多雨時に雨水が舗装面にまで溢れ出て、舗装面に水溜まりが形成されるように事態となるのは回避することができる。図２に示した形状の貯水用基盤材１０を用いる場合には、その底面１１の裏面に十文字状に第２の排水溝１４が形成されているので、雨水の地盤への流出は一層円滑となる。
【００３１】
図３は、貯水型舗装構造Ａで用いる貯水用基盤材１０の他の例を示している。この貯水用基盤材１０は、周側壁１２の側面に第３の排水溝１５が形成されている。周側壁１２の上面に第１の排水溝１３が形成されていないが、形成してもよい。このように、周側壁１２の側面に第３の排水溝１５を形成することにより、雨水の地盤への流出をさらに確実なものとすることができる。
【００３２】
図１に示した貯水型舗装構造Ａにおいて、夏期の直射日光が舗装ブロック材３３に照射するようなときに、舗装面からの熱が、貯水用基盤材１０の貯水領域内に貯留された雨水および保水吸水材２６、２７内に保水されている雨水に伝熱し、雨水の温度を昇温させてしまうことが起こり得る。雨水が舗装表面から蒸散するときに奪われる気化熱の量は、雨水の温度によって左右されるので、蒸散するときの雨水の温度はより低い温度であることが望ましい。
【００３３】
本発明による貯水型舗装構造Ａの一態様では、貯留されている雨水の昇温を防止するために、前記した板状の保水吸水材２７と導水シート３０との間に適宜の断熱材からなる断熱層４０が配置される。図４は断熱層４０の一例であり、例えばポリスチレン系樹脂発泡体、ポリエチレン系樹脂発泡体、フェノール系樹脂発泡体のような発泡樹脂で作られている。断熱層４０には、前記した荷重支持部材２０の上に配置したときに、荷重支持部材２０の底面２１に形成した内部が空洞である支持脚２３に対応する部位には適数の第１の貫通穴４１が形成されており、貫通穴２５が形成されている領域に対応する部位には適数の第２の貫通穴４２が形成されている。そして、前記第１の貫通穴４１内には、好ましくは保水吸水材２６と同じ材料からなる保水吸水材４３が充填されている。また、断熱層４０の周囲には、隣接する断熱層４０同士を安定的に連結するための係止部４４も形成されている。
【００３４】
図５は、図４に示した断熱層４０を配置した場合での貯水型舗装構造Ａ１を示す図１に相当する図である。図１に示したと同じ部材には同じ符号を付すことで、詳細な説明は省略する。貯水型舗装構造Ａ１では、断熱層４０が存在することで、舗装面からの熱が貯留された雨水に伝わるのを遮断することができ、貯留水の温度を低温に維持できる。そのために、保水吸水材２６、２７、４３を通して吸い上げられる雨水が舗装面（舗装ブロック材３３の表面）から蒸散するときに奪われる熱量を大きくすることができ、蒸散効果を高めることができる。一方、断熱層４０は第１の貫通穴４１および第２の貫通穴４２を有しており、雨水の貯水用基盤材１０への落下、および貯水用基盤材１０に貯留された雨水の蒸散に支障が生じることはない。
【００３５】
なお、図１および図５に示す形態の貯水型舗装構造Ａ、Ａ１において、荷重支持部材２０として、図示しないが、周側壁２２を有しないものを用いることもできる。また、その場合に、板状の保水吸水材２７の使用を省略することもできる。さらに、構造的に安定したものが得られる場合には、敷砂３１や導水シート３０の使用も省略することができる。
【００３６】
上記の説明では、保水吸水材２６は、支持脚２３を有する荷重支持部材２０における支持脚２３内の空洞部に充填するものとしたが、荷重支持部材は、上載荷重に耐えうる機械的強度を備えていればよく、図１および図２に示したものに限らない。図示しないが、同じ高さの中実の円柱あるいは角柱の適数本を、貯水用基盤材１０の底面１１に立設し、適宜の手段で一体に固定した形状であってもよい。その場合には、荷重支持部材と同じ高さの保水吸水材２６あるいはやや高さの高い保水吸水材２６を、貯水用基盤材２０における荷重支持部材が位置しない底面２１に配置し、その上に、前記板状の保水吸水材２７を配置するようにする。
【００３７】
図６および図７は、貯水用基盤材１０の他の形状を示している。この貯水用基盤材１０Ａは、図２に示した貯水用基盤材１０の底面１１上に、適数の荷重支持部材２０Ａが一体成形されている点で、図２に示した貯水用基盤材１０と相違する。貯水用基盤材１０におけると同じ部材には同じ符号を付し、説明は省略する。各荷重支持部材２０Ａは、同じ形状であり、その高さは、貯水用基盤材１０Ａの周側壁１３の高さと等しいかそれよりも高くされている。そして、図６に示す例では、荷重支持部材２０Ａが形成されていない底面領域に、図示の例では底面１１のほぼ中央部に、貯水用基盤材１０で用いたと同じ材料からなり、荷重支持部材２０Ａと同じ高さかあるいはやや高さの高い、適宜大きさの１つの保水吸水材２６が配置されている。図７に示す貯水用基盤材１０Ａでは、やはり、荷重支持部材２０Ａが形成されていない底面領域に、十文字状をなすようにして、貯水用基盤材１０で用いたと同じ材料からなり、荷重支持部材２０Ａと同じ高さかあるいはやや高さの高い、適宜大きさの複数個の保水吸水材２６が配置されている。
【００３８】
図６および図７に示した貯水用基盤材１０Ａを用いて、貯水型舗装構造ＡあるいはＡ１を施工する手順は、貯水型舗装構造ＡあるいはＡ１を施工するときの手順とほぼ同じであり、図６あるいはおよび図７に示したように、貯水用基盤材１０Ａの底面１１上に、保水吸水材２６を配置した後、その上に、板状の保水吸水材２７を配置し、必要な場合には、その上に、さらに断熱層４０を配置するようにすればよい。ただし、断熱層４０を用いる場合には、保水吸水材２６に対応する位置に、前記第１の貫通穴４１を適数だけ形成し、保水吸水材２６が配置されてなくかつ荷重支持部材２０Ａも存在しない位置に、前記第２の貫通穴４２を適数だけ形成する。そして、第１の貫通穴４１には、保水吸水材２６と同じ材料からなる保水吸水材４３を充填する。なお、ここでも、板状の保水吸水材２７の使用を省略することもできる。さらに、構造的に安定したものが得られる場合には、敷砂３１や導水シート３０の使用も省略することができる。
【００３９】
図示しないが、上記したいずれの貯水型舗装構造においても、他の貯水源から前記貯水用基盤材１０、１０Ａの貯水空間領域内に、貯水源に貯水されている水を導水することのできる導水部を設けておくことは、好ましい態様である。他の貯水源としては、上水源であってもよく、側溝を流れる雨水を一時的に貯留することのできる貯留槽（例えば、特開２０１１−１３２７４０号公報、特開２００５−２６２０号公報など参照）などであってもよい。
【符号の説明】
【００４０】
Ａ、Ａ１…本発明による貯水型舗装構造、
１０…貯水用基盤材、
１１…平面状の底面、
１２…周側壁、
２０、２０Ａ…荷重支持部材、
２１…底面、
２２…周側壁、
２３…支持脚、
２４…支持脚に形成した切り欠き、
２５…底面に形成した貫通穴、
２６…保水吸水材、
２７…板状の保水吸水材、
３０…導水シート、
３１…敷砂、
３３…舗装ブロック材、
３６…透水性シート、
４０…断熱層、
４１…第１の貫通穴、
４２…第２の貫通穴、
４３…保水吸水材。
【図１】
2013204277.tif 000003
【図２】
2013204277.tif 000004
【図３】
2013204277.tif 000005
【図４】
2013204277.tif 000006
【図５】
2013204277.tif 000007
【図６】
2013204277.tif 000008
【図７】
2013204277.tif 000009